(57)【特許請求の範囲】
【請求項１】
一対の固定部材（１４）に巻取パイプ（１６）の両端部をそれぞれ回転可能に支持し、スクリーン（１８）の一端を巻取パイプ（１６）に巻取り及び巻解き可能に連結したロールスクリーンにおいて、
スクリーン（１８）の他端には被保持部（２４）が設けられ、被保持部（２４）は巻取パイプ（１６）近傍に設けられた保持部（３０）に着脱自在に保持可能となっており、保持部が被保持部を保持した保持状態においては、スクリーン（１８）は二重に重なった状態で昇降可能となり、保持部が被保持部の保持を解除した非保持状態においては、スクリーン（１８）は重ならない状態で昇降可能となることを特徴とするロールスクリーン。
【請求項２】
保持部（３０）は、被保持部（２４）を保持する保持位置と保持を解除する解除位置との間で移動する可動式の係止部（３２）と、係止部（３２）の位置を保持位置と解除位置との間で切替える切替部（３４）と、を有しており、保持部（３０）に被保持部（２４）が当接するたびに切替部（３４）は係止部（３２）を保持位置と解除位置との間で切替え可能であることを特徴とする請求項１記載のロールスクリーン。
【請求項３】
保持部（３０）は、被保持部（２４）を保持する保持位置と保持を解除する解除位置との間で移動する可動式の係止部（３２）を有しており、係止部（３２）は、常時は付勢手段（３８）によって保持位置に向かって付勢されており、操作手段（５０、５４）の操作により解除位置へ移動することを特徴とする請求項１記載のロールスクリーン。
【請求項４】
スクリーン（１８）は遮光部（１８ａ）と非遮光部（１８ｂ）とが昇降方向に連続して配置されているものであり、遮光部（１８ａ）と非遮光部（１８ｂ）とは二重に重なった状態で昇降可能であることを特徴とする請求項１ないし３のいずれか１項記載のロールスクリーン。
【発明の詳細な説明】
【技術分野】
【０００１】
本発明は、スクリーンを二重使いすることが可能なロールスクリーンに関する。
【背景技術】
【０００２】
従来、この種のロールスクリーンとしては、特許文献１に記載されたものが知られている。これによれば、一対のサイドプレートの間に２つの巻取パイプが上下に配置され、各巻取パイプにスクリーンの一端が巻取り及び巻解き可能に連結されている。そして、それぞれの巻取パイプに連結されたスクリーンを個別に昇降させることによって、一方のスクリーンだけを下降させれば、重ならない状態とすることができ、また、両方のスクリーンを下降させれば、二重に重なった状態とすることができて、変化に富んだロールスクリーンとすることができるようになっている。
【先行技術文献】
【特許文献】
【０００３】
【特許文献１】特開２００２−３７１７７４号公報
【発明の概要】
【発明が解決しようとする課題】
【０００４】
しかしながら、前記従来のロールスクリーンでは、一対のサイドプレートの間に２つの巻取パイプが上下に配置され、且つ前後方向に少し位置がずれて配置されているため、上部の機構部の構造が大型化してしまうという問題がある。特に２つの巻取パイプが上下に配置されるため、スクリーンを全て巻き取ったときに、ロールスクリーンを設置した開口部の開放される高さが小さくなってしまうという問題がある。
【０００５】
本発明はかかる課題に鑑みなされたもので、機構部を大型化することなくスクリーンの二重使いを可能とするロールスクリーンを提供することをその目的とする。
【課題を解決するための手段】
【０００６】
前述した目的を達成するために、請求項１記載の発明は、一対の固定部材に巻取パイプの両端部をそれぞれ回転可能に支持し、スクリーンの一端を巻取パイプに巻取り及び巻解き可能に連結したロールスクリーンにおいて、
スクリーンの他端には被保持部が設けられ、被保持部は巻取パイプ近傍に設けられた保持部に着脱自在に保持可能となっており、保持部が被保持部を保持した保持状態においては、スクリーンは二重に重なった状態で昇降可能となり、保持部が被保持部の保持を解除した非保持状態においては、スクリーンは重ならない状態で昇降可能となることを特徴とする。
【０００７】
請求項２記載の発明は、請求項１記載のロールスクリーンにおいて、保持部は、被保持部を保持する保持位置と保持を解除する解除位置との間で移動する可動式の係止部と、係止部の位置を保持位置と解除位置との間で切替える切替部と、を有しており、保持部に被保持部が当接するたびに切替部は係止部を保持位置と解除位置との間で切替え可能であることを特徴とする。
【０００８】
請求項３記載の発明は、請求項１記載のロールスクリーンにおいて、保持部は、被保持部を保持する保持位置と保持を解除する解除位置との間で移動する可動式の係止部を有しており、係止部は、常時は付勢手段によって保持位置に向かって付勢されており、操作手段の操作により解除位置へ移動することを特徴とする。
【０００９】
請求項４記載の発明は、請求項１ないし３のいずれか１項記載のロールスクリーンにおいて、スクリーンは遮光部と非遮光部とが昇降方向に連続して配置されているものであり、遮光部と非遮光部とは二重に重なった状態で昇降可能であることを特徴とする。
【発明の効果】
【００１０】
スクリーンの他端に設けた被保持部を巻取パイプ近傍にて保持部に着脱自在とすることによって、スクリーンを二重に重なった状態と重ならない状態とに切り替えて昇降させることができる。また、スクリーンを二重に重なった状態にすることができるにもかかわらず、巻取パイプは１本だけ設ければよいため、機構部の構造がコンパクトになり、スクリーンを全て巻き取ったときにロールスクリーンを設置した開口部の開放された高さを大きく確保することができる。
【００１１】
切替部の切替操作や操作手段の操作により、係止部を動かして保持部による被保持部の保持及び保持の解除を切替えることができる。
【００１２】
また、スクリーンを遮光部と非遮光部とが昇降方向に連続して配置されるものとすることにより、保持部が被保持部を保持した状態では、遮光部と非遮光部とを互いに重なり合った状態で昇降することが可能となり、スクリーン全体としては遮光状態となり、保持部が被保持部を保持していない状態では、非遮光部のみを昇降することが可能となるため、スクリーン全体としては非遮光状態となり、光を採り入れることが可能となる。
【図面の簡単な説明】
【００１３】
【図１】本発明の第１の実施形態に係るロールスクリーンにおいて、保持部が被保持部の保持を解除した非保持状態におけるスクリーンの昇降途中の状態を表す正面図である。
【図２】保持部が被保持部の保持を解除した非保持状態におけるスクリーンを下限停止位置まで下降させた状態を表す正面図である。
【図３】図２の背面図である。
【図４】保持部が被保持部を保持した保持状態におけるスクリーンの昇降途中の状態を表す正面図である。
【図５】保持部が被保持部を保持した保持状態におけるスクリーンを下限停止位置まで下降させた状態を表す正面図である。
【図６】図５の背面図である。
【図７】（ａ）は保持部が被保持部の保持を解除した非保持状態におけるスクリーンの上昇途中の状態を表す側断面図であり、（ｂ）は被保持部が保持部を押し上げる直前の状態を表す側断面図であり、（ｃ）は押し上げられた保持部がラッチに係止された状態を表す側断面図であり、（ｄ）は被保持部を保持部に保持した保持状態でスクリーンを下降方向に操作している状態を表す側断面図である。
【図８】（ａ）は図７（ｄ）の状態からスクリーンを上昇方向に操作した状態を表す側断面図であり、（ｂ）は保持部がラッチを押し込んだ状態を表す側断面図であり、（ｃ）は保持部の係止が解除され、保持部が被保持部の保持を解除した非保持状態を表す側断面図であり、（ｄ）は保持部が被保持部の保持を解除した非保持状態でスクリーンを下降させている状態を表す側断面図である。
【図９】（ａ）は非保持状態でのラッチの状態を表す断面図であり、（ｂ）は保持状態でのラッチの状態を表す断面図である。
【図１０】第２の実施形態に係るロールスクリーンの正面図であって、保持部が被保持部の保持を解除した非保持状態を表す。
【図１１】第２実施形態に係るロールスクリーンの正面図であって、保持部が被保持部を保持した保持状態を表す。
【図１２】（ａ）は第２実施形態において保持部が被保持部の保持を解除した非保持状態を表す側断面図であり、（ｂ）は保持部が被保持部を保持した保持状態を表す側断面図であり、（ｃ）は（ｂ）の状態でスクリーンを下降させている状態を表す側断面図である。
【図１３】第３の実施形態に係るロールスクリーンの側断面図であって、（ａ）は保持部が被保持部の保持を解除した非保持状態を表し、（ｂ）は保持部が被保持部を保持した保持状態を表す。
【発明を実施するための形態】
【００１４】
以下、図面を用いて本発明の実施の形態を説明する。
【００１５】
（第１の実施形態）
図１から図９に基づいて本発明の第１の実施形態のロールスクリーンを説明する。
【００１６】
図において、ロールスクリーン１０は、ブラケット１１により窓枠等の固定部に取り付けられるセットフレーム１２の両端に取り付けられた一対のサイドプレート（固定部材）１４を有しており、一対のサイドプレート１４によって巻取パイプ１６の両端がそれぞれ回転可能に支持されている。巻取パイプ１６は一方のサイドプレート１４に設けられたプーリ１７により回転駆動可能であり、プーリ１７はこれに巻き掛けられた操作チェーン１９によって回転が操作される。
【００１７】
巻取パイプ１６には、スクリーン１８の一端が巻取り及び巻解き可能に連結されており、スクリーン１８の他端はウエイトバー２０に設けられている転回バー２２に巻掛けられた後、保持バー（被保持部）２４に連結されている。保持バー２４は転回バー２２とウエイトバー本体との間を通り抜けできないようになっている。
【００１８】
スクリーン１８は遮光部を構成する不透明生地１８ａと非遮光部を構成するシースルー生地１８ｂとが昇降方向に連続して配置されて構成されている。そして、不透明生地１８ａ及びシースルー生地１８ｂの長さは、任意の比率とすることができるが、好ましくは互いに等しく、且つロールスクリーン１０の設定高さ寸法にほぼ等しいものとなっている。不透明生地１８ａの一端が巻取パイプ１６に、シースルー生地１８ｂの一端が保持バー２４にそれぞれ連結され、不透明生地１８ａとシースルー生地１８ｂのそれぞれの他端が互いに連結されている。
【００１９】
ウエイトバー２０には長手方向全長にわたって溝２６が形成されており（図３参照）、溝２６には、支持部材２８に形成された連結部２８ａが挿入され（図７参照）、これによって支持部材２８がウエイトバー２０に取付けられている。支持部材２８は、ウエイトバー２０の位置まで下降した保持バー２４を支持可能である。
【００２０】
セットフレーム１２には保持バー２４を着脱自在に保持可能な保持部３０が適当な間隔で複数個取付けられる。保持部３０は、セットフレーム１２に固定される保持フレーム３６と、保持バー２４を保持する保持位置と保持を解除する解除位置との間で移動する可動式の係止部３２と、係止部３２の位置を保持位置と解除位置との間で切替えるラッチ（切替部）３４と、を有する。
【００２１】
図７及び８に示すように、保持フレーム３６は、セットフレーム１２の上部に嵌め合わされる嵌合部３６ａと、嵌合部３６ａの後面両端部から後方に突出する一対の突出片３６ｂとから構成され、一対の突出片３６ｂには係止部３２が揺動自在に支持されている。
【００２２】
係止部３２は、揺動中心Ａから互いに一体に揺動する係合アーム３２ａ、押圧アーム３２ｂ、解除アーム３２ｃの３つのアームがそれぞれ延出しており、係合アーム３２ａは保持バー２４の形状に対応した形状を有し、保持バー２４を保持可能となっている。また、押圧アーム３２ｂは先端部がラッチ３４方向にＬ字状に屈曲しているともに、先端部には図９に示すように括れた括れ部３２ｄが形成されている。押圧アーム３２ｂは揺動中心Ａを中心として揺動した際に、先端がラッチ３４を押圧可能であるとともに後述のようにラッチ３４によって括れ部３２ｄが挟持される。解除アーム３２ｃには突出片３６ｂに一端が連結されているバネ部材３８の他端が連結されており、バネ部材３８によって、解除アーム３２ｃは係合アーム３２ａがラッチ３４から遠ざかる方向に付勢されている。
【００２３】
ラッチ３４は、保持フレーム３６の嵌合部３６ａの一対の突出片３６ｂの間に設けられ、図９に示すように、保持フレーム３６の後面３６ｃに取付けられた筐体４２と、筐体４２内を昇降可能に且つ筐体４２に対して吊下げられるロック部材４４と、筐体４２内に配設され、ロック部材４４を常時下降方向に押圧するバネ部材４６と、を有する。
【００２４】
筐体４２の内周面には無端状の案内溝４０が形成されており、案内溝４０の上端には下方に窪んだ係合凹部４０ａが形成されている。
【００２５】
ロック部材４４は、摺動部４４ａと、摺動部４４ａに一端が軸着されて揺動自在となった揺動部４４ｄと、摺動部４４ａの下部に揺動自在に連結される一対のロックアーム４４ｆと、を有する。
【００２６】
揺動部４４ｄの他端に設けられた係合端子４４ｅは、案内溝４０に移動可能に係合しており、これによって摺動部４４ａは筐体４２に対して吊下げられると共に、係合端子４４ｅが案内溝４０に沿って移動することで、摺動部４４ａは、筐体４２内を昇降方向に摺動するようになっている。
【００２７】
一対のロックアーム４４ｆの自由端は、筐体４２の下部から外部に突出しており、自身の弾性または図示しない付加的な弾性部材により互いの自由端が互いに離隔する方向に常時付勢されており、図９（ａ）に示すように、摺動部４４ａが下降してロックアーム４４ｆが筐体４２から十分に突出すると、自由端が離隔するようになっている。
【００２８】
次に、図１ないし図６に基づいて、各昇降状態におけるスクリーン１８の展開状態について説明する。
【００２９】
まず、保持バー２４が係止部３２に保持されていない非保持状態でのスクリーン１８の昇降について説明する。この係止部３２が保持バー２４の保持を解除した非保持状態においては、図７（ａ）に示すように、バネ部材３８の弾性力により解除アーム３２ｃが下方に引っ張られて、係止部３２は、ラッチ３４から離反した解除位置にある。そして、保持バー２４は支持部材２８に支持されて、ウエイトバー２０と一体に昇降可能な状態となっている。
【００３０】
この場合のスクリーン１８の昇降動作は、通常のスクリーン動作と同様である。即ち、操作チェーン１９を操作し、プーリ１７をスクリーン１８下降方向に回転させると、巻取パイプ１６がスクリーン１８を巻き解いていく。これにより保持バー２４が支持部材２８に支持されつつウエイトバー２０と一体に下降するが、図１に示すように、保持バー２４にはシースルー生地１８ｂが連結されているため、シースルー生地１８ｂが下降する。
【００３１】
この後も操作チェーン１９を操作し、プーリ１７をスクリーン１８下降方向に回転させると、巻取パイプ１６がシースルー生地１８ｂを巻き解いていき、ウエイトバー２０と一体に保持バー２４が下限位置まで下降すると、図２及び図３に示すように、シースルー生地１８ｂのみで開口部を覆うことができ、採光を図ることができる。
【００３２】
このように、保持バー２４が係止部３２から解除された非保持状態では、シースルー生地１８ｂのみの昇降を行う。
【００３３】
次に、保持バー２４を係止部３２に係止させる動作を説明する。
【００３４】
操作チェーン１９を操作し、プーリ１７をスクリーン１８上昇方向に回転させ、スクリーン１８を巻取パイプ１６に巻き取り、ウエイトバー２０とともに保持バー２４を上昇させて、係止部３２に接近させる。すると、図７（ｂ）に示すように、保持バー２４は押圧アーム３２ｂに当接し、さらに、図７（ｃ）に示すように、バネ部材３８の弾性力に抗して押圧アーム３２ｂを押し上げていく。これにより、係止部３２が図７（ｃ）中時計方向に揺動して、図９（ａ）の二点鎖線に示すように押圧アーム３２ｂの先端が摺動部４４ａの下端をバネ部材４６のバネ力に抗して押し上げるので、摺動部４４ａが上昇する。そして、図９（ｂ）に示すように、係合端子４４ｅが案内溝４０を移動して、係合凹部４０ａに達すると、係合端子４４ｅが係合することにより、ロック部材４４が筐体４２に係止され、移動が拘束される。このとき、ロックアーム４４ｆは、筐体４２内へと押し込まれ互いの間隔が狭まる方向にそれぞれ揺動し、押圧アーム３２ｂの括れ部３２ｄを挟持し、これによって係止部３２が保持される。このとき、係止部３２は、図７（ｄ）に示す位置まで揺動し、係合アーム３２ａが保持バー２４を係合する保持位置に位置する。
【００３５】
次に、保持部３０に保持バー２４を保持した保持状態でのスクリーン１８の昇降について説明する。
【００３６】
巻取パイプ１６にスクリーン１８が全て巻き取られた状態から操作チェーン１９を操作して、巻取パイプ１６をスクリーン１８の巻き解き方向に回転させると、まず、シースルー生地１８ｂが巻き解かれ、シースルー生地１８ｂが全て巻き解かれた後、不透明生地１８ａが巻き解かれていく。このとき、スクリーン１８は転回バー２２によって折り返されて二重に構成されるようになっているため、スクリーン１８の下降途中までは、スクリーン１８の前面側及び後面側が共にシースルー生地１８ｂで構成されることになる。そして、シースルー生地１８ｂが全て巻き解かれた後は、図４に示すように、スクリーン１８の前面側は上部が不透明生地１８ａ、下部がシースルー生地１８ｂとなり、後面側は全面シースルー生地１８ｂとなる。この後、スクリーン１８を更に下降させていくに従って、スクリーン１８の前面側における不透明生地１８ａの割合がシースルー生地１８ｂの割合に対して増大していき、下限位置まで下降した際には、図５及び図６に示すように、前面側が全面的に不透明生地１８ａ、後面側が全面的にシースルー生地１８ｂになる。
【００３７】
逆に、保持部３０に保持バー２４を保持した保持状態で、巻取パイプ１６にスクリーン１８を巻き取る場合は、巻取パイプ１６に連結されている不透明生地１８ａから巻き取られるため、スクリーン１８の前面側における不透明生地１８ａの割合がシースルー生地１８ｂの割合に対して減少しつつウエイトバー２０が上昇していく。
【００３８】
次に、係止部３２に保持されている保持バー２４を解除する場合には、操作チェーン１９を操作して巻取パイプ１６にスクリーン１８を更に巻き取らせ、図８（ａ）に示すように、ウエイトバー２０を上昇させて、支持部材２８に保持バー２４を支持させる。そしてスクリーン１８を更に巻き取らせて、図８（ｂ）に示すように、係合アーム３２ａから保持バー２４を上昇させて、押圧アーム３２ｂに当接させた後、保持バー２４を更に上昇させると、押圧アーム３２ｂが押し上げられるため、押圧アーム３２ｂの先端が摺動部４４ａを押し上げる。すると、これに伴って係合端子４４ｅが案内溝４０に沿って移動して係合凹部４０ａよりも上昇し、係合端子４４ｅの係合凹部４０ａへの係合が解除される。係合端子４４ｅは、バネ部材４６のバネ力の助けを借りて、案内溝４０に沿って下降し、摺動部４４が下降し、図９（ａ）に示すように、一対のロックアーム４４ｆが筐体４２から突出して互いに離隔し括れ部３２ｄの挟持を解除するので、係止部３２はロックアーム４４ｆから解放される。
【００３９】
そして、係止部３２がバネ部材３８の弾性力により図８（ｃ）中反時計方向に揺動し、図中実線で示す解除位置に移動するため、この後、操作チェーン１９を操作して巻取パイプ１６にスクリーン１８を巻き解かせると、図８（ｄ）に示すように保持バー２４は支持部材２８に支持されながらウエイトバー２０と一体に下降していく。
【００４０】
以上のように、保持バー２４を保持状態または非保持状態とすることによって、スクリーン１８を二重に重なった状態と重ならない状態とに切り替えて昇降させることができる。そして、スクリーン１８を二重に重なった状態にすることができるにもかかわらず、巻取パイプ１６は１本だけなので、上部の巻取パイプ１６を含む機構部の構造がコンパクトになり、スクリーン１８を全て巻き取ってもロールスクリーン１８を設置した開口部の開放された高さが小さくなることを防止することができる。
【００４１】
（第２の実施形態）
図１０ないし図１２に基づいて本発明の第２の実施形態について説明する。
【００４２】
第２の実施形態は保持部３０の構成が第１の実施形態と相違するものであり、その他の構成は第１の実施形態と同様であるため、相違する構成のみ説明するものとする。
【００４３】
図１２に示すように保持部３０は、係止部３２と解除コード５０とを有している。係止部３２は、第１の実施形態の押圧アーム３２ｂが省略されており、保持バー２４を保持する係合アーム３２ａと解除アーム３２ｃのみで構成されている。解除アーム３２ｃはバネ部材３８によって係合アーム３２ａが保持バー２４を係合する保持位置方向に常時付勢されており、また、解除アーム３２ｃには、バネ部材３８の連結部位よりも更に先端部位に解除コード５０の一端が連結されている。解除コード５０の他端は、保持フレーム３６の突出片３６ｂに設けられた案内ローラ５２（図１２参照）によって保持フレーム３６の嵌合部３６ａの上方に導出された後、図１０及び図１１に示すように、図示しない案内ローラによってセットフレーム１２に沿って一方のサイドプレート１４近傍まで配回され、この部分に設けられるストッパ５４を介してセットフレーム１２外に導出され、プーリ１７及び操作チェーン１９の前方に垂下される。
【００４４】
次に、第２の実施形態における保持部３０と保持バー２４の動作について説明する。
【００４５】
係止部３２による保持バー２４の保持を解除する場合は、図１２（ａ）に示すように、解除コード５０を引き下げ、解除アーム３２ｃをバネ部材３８の弾性力に抗して係合アーム３２ａが保持バー２４の保持を解除する解除位置に移動させ、この状態のまま解除コード５０をストッパ５４に係止させることにより、係止部３２を解除位置に維持させることができる。この状態においては、保持バー２４は支持部材２８に支持されて、ウエイトバー２０と一体に昇降可能な状態となっている。
【００４６】
そして、図１０に示すように、保持部３０が保持バー２４の保持を解除した解除状態で、スクリーン１８を下降させると、第１の実施形態と同様にシースルー生地１８ｂのみが下降し、下限位置まで下降させてもシースルー生地１８ｂのみで開口部を覆うことになる。
【００４７】
次に、保持部３０に保持バー２４を保持させる場合は、まず、操作チェーン１９を操作し、プーリ１７をスクリーン１８上昇方向に回転させると、スクリーン１８が巻取パイプ１６に巻き取られ、ウエイトバー２０とともに保持バー２４が上昇していく。このようにして保持バー２４を上限まで上昇させた後、解除コード５０を操作してストッパ５４を解除し、解除アーム３２ｃに対する解除コード５０の張力を解除する。これにより、解除アーム３２ｃはバネ部材３８の付勢力で図１２（ｂ）中時計方向に揺動するため、解除アーム３２ｃと共に係合アーム３２ａが揺動し、保持バー２４を保持する。
【００４８】
この後、操作チェーン１９を操作して巻取パイプ１６からスクリーン１８を巻解くと、図１２（ｃ）に示すように、保持バー２４が保持部３０に保持された保持状態を維持したままウエイトバー２０及び転回バー２２が下降し、スクリーン１８は前後において二重の構成を保ちながら下降していく。そして、図１１に示すように、ウエイトバー２０が下限位置まで下降すると、第１の実施形態と同様に、スクリーン１８は、前面側が全面的に不透明生地１８ａ、後面側が全面的にシースルー生地１８ｂになる。こうして、第１実施形態と同様の作用・効果が得られる。
【００４９】
（第３の実施形態）
次に、図１３に基づいて本発明の第３の実施形態について説明する。
【００５０】
第３の実施形態は保持部３０の構成が第１及び第２の実施形態と相違するものであり、その他の構成は第１及び第２の実施形態と同様であるため、相違する構成のみ説明するものとする。
【００５１】
保持部３０は、保持フレーム３６と、ピン６０とを有している。保持フレーム３６の突出片３６ｂは、サイドプレート１４とほぼ同じ幅方向位置に設けられており、その下端部に複数のピン６０が設けられている。各突出片３６ｂの複数のピン６０は、保持バー２４の両端部をそれぞれ載置可能となっている。ピン６０は、突出片３６ｂから固定的に突出するように設けてもよく、または、保持バー２４がピン６０を通過するごとにその当接により軸方向に退没できまたは通過後に自動的に突出できるよう出没可能に設けてもよい。
【００５２】
次に、第３の実施形態における保持部３０と保持バー２４の動作について説明する。
【００５３】
図１３（ａ）に示すように、保持部３０が保持バー２４の保持を解除した非保持状態においては、保持バー２４は第１及び第２実施形態と同様に、支持部材２８に支持されながらウエイトバー２０と一体に昇降可能となる。
【００５４】
次に、図１３（ｂ）に示すように、保持部３０が保持バー２４を保持する保持状態にするには、ピン６０が手の届く範囲であれば、保持バー２４を手動でピン６０上に載置することにより行う。保持部３０が保持バー２４の保持を解除する非保持状態にするには、保持バー２４を手動でピン６０から外すことにより行う。
【００５５】
また、ピン６０が出没可能となっている場合にも、前述と同様に保持バー２４を手動でピン６０を通過させた後、ピン６０を突出させてピン６０上に保持バー２４を載置させて保持し、また、非保持状態にするには、保持バー２４を手動でピン６０を通過させて、保持バー２４の保持を解除してもよい。または、第１及び第２の実施形態と同様に、操作チェーン１９を操作して、巻取パイプ１６にスクリーン１８を巻き取らせ、ウエイトバー２０と共に保持バー２４がピン６０を通過するように上昇させ、保持バー２４が通過した後に突出したピン６０上に、上昇操作を停止した後の保持バー２４が載置するようにすることもできる。
【００５６】
尚、以上の例では、スクリーン１８が遮光部である不透明生地１８ａと非遮光部であるシースルー生地１８ｂとから構成されていたが、これに限るものではなく、例えば、異なる模様、色または遮光度を持つ生地の任意の組み合わせとすることができ、または、一つの一様な生地のみで構成することもでき、一重と二重の場合とで遮光度が異なるように構成することも可能である。
【符号の説明】
【００５７】
１０  ロールスクリーン
１４  サイドプレート（固定部材）
１６  巻取パイプ
１８  スクリーン
１８ａ  不透明生地（遮光部）
１８ｂ  シースルー生地（非遮光部）
２４  保持バー（被保持部）
３０  保持部
３２  係止部
３４  ラッチ（切替部）
３８  バネ部材（付勢手段）
５０  解除コード（操作手段）
５４  ストッパ（操作手段）
【図１】
0005576780.tif 000002
【図２】
0005576780.tif 000003
【図３】
0005576780.tif 000004
【図４】
0005576780.tif 000005
【図５】
0005576780.tif 000006
【図６】
0005576780.tif 000007
【図７】
0005576780.tif 000008
【図８】
0005576780.tif 000009
【図９】
0005576780.tif 000010
【図１０】
0005576780.tif 000011
【図１１】
0005576780.tif 000012
【図１２】
0005576780.tif 000013
【図１３】
0005576780.tif 000014